(57)【要約】【課題】電子機器２を収納するキャリングケース１において，当該電子機器２が上記キャリングケース１から脱落するのを防止する，安価で簡単な構造を提供する。【解決手段】開口部を有するケース本体３と，上記開口部を閉ざすため当該開口部と一体に形成された蓋体４とを備えた電子機器２を収納するためのキャリングケース１において，当該ケース本体３の開口部周縁に少なくとも１つ連結手段１０を備えると共に，上記電子機器２には，当該電子機器２の上方であって，上記ケース本体３に備えられた上記連結手段１０と相対向する位置に係止手段７を備え，上記連結手段１０と上記係止手段７とを着脱自在に構成する。【選択図】　図１
2004023075.tif 000002
【特許請求の範囲】
【請求項１】
開口部を有するケース本体と，上記開口部を閉ざすための蓋体とを備えた電子機器を収納するためのキャリングケースにおいて，
当該ケース本体の開口部の周縁に少なくとも１つ備えられた連結手段と，
上記電子機器の上方にあって，上記ケース本体に備えられた上記連結手段と相対向する位置に備えられた係止手段とが，着脱自在に構成されたことを特徴とした電子機器のキャリングケース。
【請求項２】
上記蓋体は，上記ケース本体の開口部に開閉自在に蝶着されたことを特徴とした請求項１に記載の電子機器のキャリングケース。
【請求項３】
上記蓋体は，上記ケース本体の開口部に開閉自在に一体に形成されたことを特徴とした請求項１に記載の電子機器のキャリングケース。
【請求項４】
上記連結手段は，屈曲自在な材料で形成されたことを特徴とした請求項１乃至請求項３のそれぞれに記載の電子機器のキャリングケース。
【請求項５】
上記連結手段は，少なくとも上記電子機器の収納方向の長さの２分の１以下の長さであることを特徴とした請求項１乃至請求項４のそれぞれに記載の電子機器のキャリングケース。
【発明の詳細な説明】
【０００１】
【発明の属する技術分野】
本発明は，主にテレビ共同受信システムに利用される電波測定器に代表される電子機器を収納するためのキャリングケースに関し，詳しくはそのキャリングケースの上記電子機器の落下防止構造に関する。
【０００２】
【従来の技術】
従来の電波測定器に代表される電子機器は，アンテナ等の設置時など，高所での作業で使用する場合が多く，上記電子機器の落下を防止したり，両手が使える状態で作業できるようにしたりするため，上記電波測定器を納めたキャリングケースに備えられた肩掛けベルトを首にかけるなどして，安全確保をしていた。
しかしながら，従来の電子機器のキャリングケースでは，当該電子機器の保守等を容易とするために，当該電子機器のキャリングケースからの取り外しが容易にできるように構成されていた。図９，１０に従来のキャリングケースの概略斜視図を示す。図９において１はキャリングケース，２は電子機器（例示では，電波測定器），４は蓋体，５は肩掛けベルトである。この例では上記電子機器２はキャリングケース１に収納自在に納められているだけである。
図１０は別の従来例である。１５は透明な合成樹脂材で形成されたカバーである。この例では上記電子機器２はキャリングケース１に収納自在に納められ，キャリングケース１のケース本体３の開口部に，例えばファスナー１６等で開閉自在に設けられた透明な合成樹脂材でできたカバー１５を備えることで，カバー１５を介して上記電子機器２の操作が行えると共に，上記電子機器２の落下防止の役割を持たせていた。
【０００３】
【発明が解決しようとする課題】
しかし，図９に示すような従来の実施例では，上記電子機器２はキャリングケース１に単純に収納されているだけであるので，例えばキャリングケース１が何らかの都合で倒れたとき，上記電子機器２がキャリングケース１から飛び出し，高価で精密にできた上記電子機器２が傷ついたり，故障したり，建物等を破損すると言った恐れがあった。
また，図１０に示す従来の実施例では，落下防止はカバー１５によってできるものの，上記電子機器２の保守等を容易とするため，当該カバー１５を開閉自在なように構成する必要がある。この実施例では上記カバー１５はケース本体３の開口部にファスナー１６を用いて取り付けられており，この点において材料費や組付け費が高くなると言った問題があった。そこで本願においては上記従来技術の問題点を解決するためになされたものであり，
その目的は，電子機器を収納するためのキャリングケースを提供することにある。
他の目的は，高所作業においても作業者の安全確保ができると共に，電子機器本体の保護も可能な電子機器のキャリングケースを提供することにある。
他の目的は，収納された電子機器の飛び出しを防止可能とする電子機器のキャリングケースを提供することにある。
他の目的は，電子機器を収納するためのキャリングケースにおいて，上記電子機器には係止手段を，上記キャリングケースには連結手段を備えさせ，当該係止手段と当該連結手段とを係止した電子機器のキャリングケースを提供することにある。
他の目的は，上記係止手段と上記連結手段とを着脱自在に構成した電子機器のキャリングケースを提供することにある。
他の目的は，上記連結手段は屈曲自在な材料で構成した電子機器のキャリングケースを提供することにある。
【０００４】
【課題を解決するための手段】
上記課題を解決するために，請求項１の発明は，開口部を有するケース本体と，上記開口部を閉ざすための蓋体とを備えた電子機器を収納するためのキャリングケースにおいて，
当該ケース本体の開口部の周縁に少なくとも１つ備えられた連結手段と，
上記電子機器の上方にあって，上記ケース本体に備えられた上記連結手段と相対向する位置に備えられた係止手段とが，着脱自在に構成される。
【０００５】
請求項２の発明は，上記蓋体は，上記ケース本体の開口部に開閉自在に蝶着されるよう構成される。
【０００６】
請求項３の発明は，上記蓋体は，上記ケース本体の開口部に開閉自在に一体に形成されるよう構成される。
【０００７】
請求項４の発明は，上記連結手段は，屈曲自在な材料で構成される。
【０００８】
請求項５の発明は，上記連結手段は，少なくとも上記電子機器の収納方向の長さの２分の１以下の長さであるように構成される。
【０００９】
【発明の実施の形態】
以下に，本発明を具体化した実施形態の１例を，図面を基に詳細に説明する。図１は本願の実施例の斜視図を示す。図２は図１において蓋体を開いたときの斜視図を示す。図３は本願の実施例の分解斜視図を示す。図４，５，６，７は本願の連結手段と係止手段の係止手順を示す要部拡大図である。図８は連結手段と係止手段の他の実施例を示す要部拡大図である。図９は従来の電子機器におけるキャリングケースを示す斜視図を示す。図１０は従来の電子機器におけるキャリングケースの他の実施例を示す斜視図である。
【００１０】
図３において，１はキャリングケース，２は電子機器，３はケース本体，４は蓋体，５は肩掛けベルトである。
キャリングケース１はケース本体３と，蓋体４と，肩掛けベルト５，とから成り，ケース本体３は上面側を開口した箱型の形状をしており，本願では化学繊維材（例えば，ポリエステル）で形成されており，芯材として合成樹脂材（例えば，ポリプロピレン）や，クッション材（例えば，ポリエチレン）が備えさせてあり，収納された電子機器２を，外部からの衝撃等から保護するよう構成されている。３ａはケース本体３の前面側に備えさせた補助ポケットであって，上記電子機器２の付属品（例えば，測定用同軸ケーブル，ＡＣアダプター等）を収納するためのものである。
【００１１】
ケース本体３の開口部であって，背面側の上端には，上記ケース本体３と一体に蓋体４が形成されており，当該蓋体４はケース本体３に対して開閉自在に備えさせてある。また，当該蓋体４をケース本体３に被せたときに上記蓋体４が勝手に開いてしまわないように，上記ケース本体３の前面側と上記蓋体４の内面側の相対向する位置にベルクロ３ｂ，４ａを設け，上記ケース本体３と上記蓋体４を固着すると共に，簡単に上記蓋体４を開閉自在にできるように形成されている
【００１２】
次に，肩掛けベルト５は周知のウエビング５ａと，ショルダーパッド５ｂと，アジャスター５ｃとから成り，アジャスター５ｃの調整によって長さが自在に調整できる。
【００１３】
次に，本発明の第１の実施例であるキャリングケース１と電子機器２についてそれぞれ詳細に説明する。
先ず電子機器２について説明する。電子機器２は本願の例示では電波測定器を示している。当該電波測定器２は，図３に示すように，上面側には操作パネル６を有し，当該操作パネル６にはＬＣＤ等による表示手段６ａや測定用端子６ｂ等が備えられている。
更に上記電子機器２の両側面側２ａ，２ａの上方には，係止手段７，７が備えさせてある。上記係止手段７は図４に示す実施例の如く，断面略逆Ｌ字型に突設させた係止片８，９を相対向させるよう形成されており，夫々の係止片の基部８ａと９ａ間の寸法をＬ１，夫々の係止片の端部８ｂと９ｂ間の寸法をＬ２となるよう形成されている。また，上記端部９ｂは上記端部８ｂと比較してやや長くなるように形成されている。尚，本願においては上記係止手段７は電子機器２の側面側２ａに一体に形成された例を示しているが，当該係止手段７は別体で形成されたものを備えても良い。
このように構成された上記電波測定器２は，上記操作パネル６を上方向として，上記キャリングケース１に収納される。
【００１４】
次に，キャリングケースの詳細について図３，４を基に説明する。上記ケース本体３の開口部における両側面側の上端３ｃ，３ｃには連結手段１０，１０が設けられている。当該連結手段１０は化学繊維（例えば，ポリプロピレン）でできたウエビングであり，その形状は幅広の一本のウエビングを折り返して挿通部１０ａ，１０ｂを備えたものにすると共に，その幅寸法は上記係止片の基部８ａと９ａ間の寸法であるＬ１よりもやや短い幅に形成され，上記ケース本体の両側面側２ａ，２ａの上端に回転自在，屈曲自在に取り付けられている。
【００１５】
次に，上記電波測定器２に備えられた係止手段７と，上記ケース本体３に備えられた連結手段１０とを係止する方法について説明する。まず，上記係止手段７と上記連結手段１０を対向配置させるよう上記電波測定器２をキャリングケース１に収納し（図４），上記端部８ｂと９ｂとの間に設けられた間隙（幅寸法Ｌ２）を利用して，上記端部９ｂを上記連結手段１０の挿通部１０ａに挿入する（図５）。次に，上記連結手段１０を上記基部９ａに押付けると共に，上記連結手段１０を折り返しながら上記端部８ｂを上記連結手段１０の挿通部１０ｂに挿入する（図６）。これによって，上記係止手段７と上記連結手段１０は係止されるのである。この動作を，電波測定器２のもう一方の側面側２ａにおいても行う。この係止が終了したならば，上記電子機器２をキャリングケースに完全に収納する（図７）。この時，連結手段１０は屈曲自在に形成されているため，上記電子機器２の収納には全く問題ないのである。
この結果，キャリングケース１と電子機器２とは係止されることになり，キャリングケース１を例え逆さにしても，上記電子機器２はキャリングケース１から落下しないのである。
尚，本願においては上記連結手段１０は，上記キャリングケース１の両側面側の上端３ｃ，３ｃに対となるように設けられているが，上記連結手段１０の数や配置は，これに限定されるものではない。
【００１６】
次に，上記係止手段７と上記連結手段１０との係止方法についての別案について説明する。尚，以下の説明では，上記第１の実施形態の係止方法と同様の構成要素については同一符号を付与し，詳細な説明は省略する。図８の（ａ），（ｂ）は第２の実施例であり，（ｃ）は第３の実施例であり，それぞれキャリングケース１を逆さまにして，上記電子機器２が当該キャリングケース１からぶら下がっている状態の具体例を示す。
第２の実施例（ａ），（ｂ）は，係止手段７と連結手段１０の形状の違いを示し，上記電波測定器２の両側面側２ａ，２ａの突設された係止手段７は，連結手段１０の先端部に形成された挿通孔１０ｃに挿通され，上記係止手段７と上記連結手段１０は係止される。本実施例の連結手段１０は図８では一本のウエビングで形成されているが，第１の実施例の如く一本のウエビングを折り返した物の先端部に挿通孔１０ｃを備えさせても良い。また，上記連結手段１０の材料として，本願においてはウエビングを用いているが，連結手段１０として上記電子機器２の落下を防ぐ強度を有する素材であれば，これに限定されるものではない。
【００１７】
第３の実施例（ｃ）は，係止方法として係止ピン１１を用いる方法である。この方法においては，係止手段７が断面略コ字型に，上記電波測定器の両側面側２ａ，２ａに突設されている。連結手段１０は上記第１の実施例の通りである。まず，連結手段１０を上記係止手段７が形成する挿通孔７ａに挿通する。それから挿通した上記連結手段１０の先端部の挿通部１０ａ若しくは１０ｂ側から，上記係止ピン１１を挿通させることで，上記係止手段７と上記連結手段１０は係止される。
【００１８】
次に，このように形成されたキャリングケース１の使用方法について説明する。本願のキャリングケース１に収納される電子機器２の例示として，上述の如く電波測定器２が上げられる。電波測定器２は例えばＴＶアンテナの出力レベルを測定することでＴＶアンテナ方向調整を行ったり，受信端末でのレベルを測ったりするものであるが，近年においてはＣＡＴＶシステムにおけるレベル測定や，複数の衛星からの信号の受信レベルを測るだけでなく，受信している衛星の識別する機能を持たせるなど，その機能が高度化すると共に，操作パネル６には大型のＬＣＤを備えるなど，精密化が進んでいる。
しかし，この電波測定器２はその目的から，高所作業に用いられたり，建物内での作業に用いられたりすることから，本願のキャリングケース１のように，電波測定器２を衝撃から守るだけでなく，更に当該電波測定器２が上記キャリングケース１から脱落して破損したり，脱落によって建物の床や屋根を破損したりするのを防止する安全対策がなされたのである。
【００１９】
そこで，まず上記電波測定器２にバッテリーパック等を装着する。次に上記電波測定器２をキャリングケース１に収納するのであるが，この時，上述のようにキャリングケース１の連結手段１０と電波測定器２の係止手段７を係止する。この後，肩掛けベルト５を調整して首からかけるなどして使用するのであるが，上記連結手段１０と上記電波測定器２は係止されているため，万が一キャリングケース１が転倒したり傾いたりしたときに，上記電波測定器２はキャリングケース１からの脱落が防止され，機器の破損や，建物等の破損が防げるのである。
こうして作業が終了したのならば，上記キャリングケース１の連結手段１０と上記電波測定器２の係止手段７の係止を解除して，当該電波測定器２をキャリングケース１から取り出し，バッテリーパック等を次の使用に備え，充電等のメンテナンスを行うのである。
【００２０】
以上のように，本願のキャリングケース１に置いては，従来のものと比較して，簡単な連結手段１０と簡単な係止手段７とで容易にキャリングケース１と電子機器２とが係止でき，更に，当該係止状態が簡単に解除できるよう，連結手段１０と係止手段７とが着脱自在にできているので，安全性，取り扱いの容易性，低コスト，且つメンテナンスの容易性等に関し優れた効果を備えた電子機器２のキャリングケース１が提供できる。
【００２１】
尚，本発明は上記実施の形態に限定されるものではなく，本発明の趣旨を逸脱しない範囲で各部の形状や配置を適宜に変更して実施することも可能である。
【００２２】
【発明の効果】
以上詳述したように，請求項１の発明によれば，開口部を有するケース本体と，上記開口部を閉ざすための蓋体とを備えた電子機器を収納するためのキャリングケースにおいて，
当該ケース本体の開口部の周縁に少なくとも１つ備えられた連結手段と，
上記電子機器の上方にあって，上記ケース本体に備えられた上記連結手段と相対向する位置に備えられた係止手段とが，着脱自在に構成されるので，上記キャリングケースを肩にかけて作業したり，床等において作業したりしている作業中は，収納された電子機器とキャリングケースとを上記連結手段と上記係止片とを係止しておくことで，例えばキャリングケースがひっくり返っても，高価で精密な電子機器がキャリングケースから飛び出すことが無く，電子機器に傷を付けたり故障させたりすることが無い。また，電池交換等のメンテナンスのときは，上記連結手段と上記係止手段との係止を解除することで，電子機器は容易にキャリングケースから取り出すことができると言った効果が，安価で且つ簡単に実現できる電子機器のキャリングケースを提供できる。
【００２３】
請求項２の発明は，上記蓋体は，上記ケース本体の開口部に開閉自在に蝶着されるよう構成されるので，電子機器の取扱が容易となるといった効果を備えた電子機器のキャリングケースを提供できる。
【００２４】
請求項３の発明は，上記蓋体は，上記ケース本体の開口部に開閉自在に一体に形成されるよう構成されるので，簡単な構造で電子機器の取扱が容易となるといった効果を備えた電子機器のキャリングケースを提供できる。
【００２５】
請求項４の発明は，上記連結手段は，屈曲自在な材料で構成されるので，上記連結手段と上記係止手段との係止が容易にできると共に，高価な電子機器の外観に傷をつけることが無いといった効果を備えた電子機器のキャリングケースを提供できる。
【００２６】
請求項５の発明は，上記連結手段は，少なくとも上記電子機器の収納方向の長さの２分の１以下の長さであるように構成されるので，上記連結手段と上記係止手段との係止時において，少なくとも上記電子機器の収納方向の半分以上が上記キャリングケース内に収まることとなり，最悪係止に失敗したとしても上記電子機器は上記キャリングケース内に収まることとなり，高価で精密な上記電子機器の破損を防止できると言った効果を備えた電子機器のキャリングケースを提供できる。
【図面の簡単な説明】
【図１】本願の第１の実施例を示す斜視図である
【図２】図１において蓋体を開いたときの斜視図を示す。
【図３】本願の実施例の分解斜視図を示す。
【図４】本願の連結手段と係止手段の係止手順を示す要部拡大図を示す。
【図５】本願の連結手段と係止手段の係止手順を示す要部拡大図を示す。
【図６】本願の連結手段と係止手段の係止手順を示す要部拡大図を示す。
【図７】本願の連結手段と係止手段の係止手順を示す要部拡大図を示す。
【図８】連結手段と係止手段の実施例であって，（ａ），（ｂ）は第２の実施例，（ｃ）は第３の実施例を示す要部拡大図である。
【図９】従来の電子機器におけるキャリングケースを示す斜視図を示す。
【図１０】従来の電子機器におけるキャリングケースの他の実施例を示す斜視図である。
【符号の説明】
１…キャリングケース，２…電子機器（例として，電波測定器），２ａ…側面側，３…ケース本体，３ａ…補助ポケット，３ｂ…ベルクロ，３ｃ…側面側の上端，４…蓋体，４ａ…ベルクロ，５…肩掛けベルト，５ａ…ウエビング，５ｂ…ショルダーパッド，５ｃ…アジャスター，６…操作パネル，６ａ…表示手段，６ｂ…測定用端子，７…係止手段，７ａ…挿通孔，８…係止片，８ａ…基部，８ｂ…端部，９…係止片，９ａ…基部，９ｂ…端部，１０…連結手段，１０ａ…挿通部，１０ｂ…挿通部，１０ｃ…挿通孔，１１…係止ピン，１５…カバー，１６…ファスナー，Ｌ１…基部８ａと９ａ間の寸法，Ｌ２…端部８ｂと９ｂ間の寸法。
【図１】
2004023075.tif 000003
【図２】
2004023075.tif 000004
【図３】
2004023075.tif 000005
【図４】
2004023075.tif 000006
【図５】
2004023075.tif 000007
【図６】
2004023075.tif 000008
【図７】
2004023075.tif 000009
【図８】
2004023075.tif 000010
【図９】
2004023075.tif 000011
【図１０】
2004023075.tif 000012